(57)【特許請求の範囲】
【請求項１】
走行機体に連結機構により機枠を連結し、該機枠に旧畦上に土を盛り上げる盛土機構を設け、該盛土機構の進行方向後方位置に畦面を圧接回転により回転整畦可能な回転整畦体からなる整畦機構を設け、該回転整畦体の外周面部分に可撓弾性をもつ圧締板体を複数個配設してなり、上記機枠に貯水タンク及び該貯水タンク内の水を上記回転整畦体に供給する放出口部をもつ給水部材を設け、該給水部材に該放出口部からの水が伝って流下する繊維材からなる水塗布部材を垂下配設し、該水塗布部材の遊離下部を該圧締板体の表面に接触させてなることを特徴とする整畦機。
【請求項２】
上記水塗布部材は繊維材を束ねた複数個の繊維束を並べてモップ状に形成されていることを特徴とする請求項１記載の整畦機。
【請求項３】
上記給水部材は管材からなり、該管材の内穴は上記貯水タンクに接続管を介して連通する通水路に形成され、該管材の管壁に上記放出口部を形成してなることを特徴とする請求項１又は２記載の整畦機。
【請求項４】
上記回転整畦体の外周面部分に圧締面部を間隔を置いて複数個形成し、該回転整畦体の回転方向前方位置の圧締面部側から隣る後方位置の圧締面部の圧締面に至る可撓弾性をもつ圧締板体を配設し、該水塗布部材の遊離下部を該圧締板体の表面に接触させてなることを特徴とする請求項１〜３のいずれか１項に記載の整畦機。
【請求項５】
上記回転整畦体は畦の一方側面を整畦可能な側面整畦部及び畦の上面を整畦可能な上面整畦部からなり、該側面整畦部及び上面整畦部の各外周面部分にそれぞれ可撓弾性をもつ圧締板体を複数個配設し、上記水塗布部材の遊離下部を該各圧締板体の表面に接触させてなることを特徴とする請求項１〜４のいずれか１項に記載の整畦機。
【発明の詳細な説明】
【技術分野】
【０００１】
本発明は例えば畦の造成作業や修復作業等に用いられる整畦機に関するものである。
【背景技術】
【０００２】
従来、この種の整畦機として、走行機体に連結機構により機枠を連結し、該機枠に旧畦上に土を盛り上げる盛土機構を設け、該盛土機構の進行方向後方位置に畦面を圧接回転により回転整畦可能な回転整畦体からなる整畦機構を設け、回転整畦体に散水ノズルを臨ませて水タンク内の水を回転整畦体に散水する散水手段を備えた構造のものが知られている。
【先行技術文献】
【特許文献】
【０００３】
【特許文献１】特許第４１５４５４５号
【特許文献２】特許第２９７２５２７号
【特許文献３】実開平５−２１６０４号
【特許文献４】実開昭５２−５０９１６号
【発明の概要】
【発明が解決しようとする課題】
【０００４】
しかしながら上記従来構造の散水手段においては、回転整畦体に散水ノズルを臨ませて水タンク内の水を回転整畦体に直接的にまき散らし散水する構造となっているから、水が多量に外方に飛散して水撒き効率が低下し、回転整畦体の表面を好ましい状態に多湿状態に濡らすには水を大量に消費し易く、好ましい多湿状態が得られないことで、旧畦上の盛土を堅牢に締め付けることができないことがあり、また、回転整畦体の外周面部分に可撓弾性をもつ圧締板体を複数個配設してなる整畦構造の場合には、圧締板体として好ましい可撓弾性を発揮する必要があるため、板厚の厚い圧締板体を選択することに一定の制約があり、好ましい多湿状態が得られないことで、圧接板体の摩耗損傷が激しく起きることがあり、それだけ、整畦作業能率を低下させることがあるという不都合を有している。
【課題を解決するための手段】
【０００５】
本発明はこのような不都合を解決することを目的とするもので、本発明のうちで、請求項１記載の発明は、走行機体に連結機構により機枠を連結し、該機枠に旧畦上に土を盛り上げる盛土機構を設け、該盛土機構の進行方向後方位置に畦面を圧接回転により回転整畦可能な回転整畦体からなる整畦機構を設け、該回転整畦体の外周面部分に可撓弾性をもつ圧締板体を複数個配設してなり、上記機枠に貯水タンク及び該貯水タンク内の水を上記回転整畦体に供給する放出口部をもつ給水部材を設け、該給水部材に該放出口部からの水が伝って流下する繊維材からなる水塗布部材を垂下配設し、該水塗布部材の遊離下部を該圧締板体の表面に接触させてなることを特徴とする整畦機にある。
【０００６】
又、請求項２記載の発明は、上記水塗布部材は繊維材を束ねた複数個の繊維束を並べてモップ状に形成されていることを特徴とするものであり、又、請求項３記載の発明は、上記給水部材は管材からなり、該管材の内穴は上記貯水タンクに接続管を介して連通する通水路に形成され、該管材の管壁に上記放出口部を形成してなることを特徴とするものである。
【０００７】
又、請求項４記載の発明は、上記回転整畦体の外周面部分に圧締面部を間隔を置いて複数個形成し、該回転整畦体の回転方向前方位置の圧締面部側から隣る後方位置の圧締面部の圧締面に至る可撓弾性をもつ圧締板体を配設し、該水塗布部材の遊離下部を該圧締板体の表面に接触させてなることを特徴とするものであり、又、請求項５記載の発明は、上記回転整畦体は畦の一方側面を整畦可能な側面整畦部及び畦の上面を整畦可能な上面整畦部からなり、該側面整畦部及び上面整畦部の各外周面部分にそれぞれ可撓弾性をもつ圧締板体を複数個配設し、上記水塗布部材の遊離下部を該各圧締板体の表面に接触させてなることを特徴とするものである。
【発明の効果】
【０００８】
本発明は上述の如く、請求項１記載の発明にあっては、走行機体を旧畦に沿って走行すると一方では盛土ロータが畦際の圃場泥土を旧畦上に連続的に跳ね上げて盛り上げ、他方では整畦機構が駆動され、回転整畦体は回転し、回転整畦体の外周面部分に可撓弾性をもつ圧締板体を配設しているので、回転整畦体の回転に伴い圧締板体により畦は断続的に締圧され、それだけ強固に畦を締め付けることができ、圧締板体は可撓弾性を有しているので、圧締板体は平ら状から撓み動作しつつ盛土を徐々に締圧することができ、盛土を確実に締圧することができ、一層堅牢な畦を得ることができ、この際、上記機枠に貯水タンク及び貯水タンク内の水を上記回転整畦体に供給する放出口部をもつ給水部材を設け、給水部材に放出口部からの水が伝って流下する繊維材からなる水塗布部材を垂下配設し、水塗布部材の遊離下部を圧締板体の表面に接触させているから、給水部材からの水は繊維材からなる水塗布部材を伝って流下し、水塗布部材を伝って流下してくる水は水塗布部材の遊離下部と圧締板体の表面との接触により塗り付けられるように塗布され、従来構造と対比して、回転整畦体に散水ノズルを臨ませて水タンク内の水を回転整畦体に直接的にまき散らし散水する構造でないから、水が多量に外方に飛散して水撒き効率を低下させることがなくなり、少量の水で回転整畦体の表面を好ましい状態に多湿状態に濡らすことができ、好ましい多湿状態が得られることで、旧畦上の盛土を堅牢に締め付けることができ、回転整畦体の外周面部分に可撓弾性をもつ配設された複数個の圧締板体の摩耗損傷を抑制することができ、圧締板体として好ましい可撓弾性を発揮することができ、それだけ、整畦作業能率を向上することができる。
【０００９】
又、請求項２記載の発明は、上記機枠に貯水タンク及び貯水タンク内の水を上記回転整畦体に供給する放出口部をもつ給水部材を設け、給水部材に放出口部からの水が伝って流下する繊維材からなる水塗布部材を垂下配設し、水塗布部材の遊離下部を圧締板体の表面に接触させているから、給水部材からの水は繊維材からなる水塗布部材を伝って流下し、水塗布部材を伝って流下してくる水は水塗布部材の遊離下部と圧締板体の表面との接触により塗りつけられるように塗布され、従来構造と対比して、回転整畦体に散水ノズルを臨ませて水タンク内の水を回転整畦体に直接的にまき散らし散水する構造でないから、水が多量に外方に飛散して水撒き効率を低下させることがなくなり、少量の水で回転整畦体の表面を好ましい状態に多湿状態に濡らすことができ、好ましい多湿状態が得られることで、旧畦上の盛土を堅牢に締め付けることができ、かつ、回転整畦体の外周面部分に可撓弾性をもつ配設された複数個の圧締板体の摩耗損傷を抑制することができ、圧締板体として好ましい可撓弾性を発揮することができ、それだけ、整畦作業能率を向上することができ、又、請求項３記載の発明にあっては、上記水塗布部材は繊維材を束ねた複数個の繊維束を並べてモップ状に形成されているから、給水部材からの水は良好に伝って流下することになると共に圧締板体の表面に対する水の接触塗り付けを良好に行うことができ、圧締板体の表面を整畦に好ましい多湿状態を得ることができ、又、この場合、上記給水部材は管材からなり、管材の内穴は上記貯水タンクに接続管を介して連通する通水路に形成され、管材の管壁に上記放出口部を形成してなるから、貯水タンク内の水を水塗布部材に良好に伝わらせることができる。
【００１０】
又、請求項４記載の発明にあっては、上記回転整畦体の外周面部分に圧締面部を間隔を置いて複数個形成し、回転整畦体の回転方向前方位置の圧締面部側から隣る後方位置の圧締面部の圧締面に至る可撓弾性をもつ圧締板体を配設し、水塗布部材の遊離下部を圧締板体の表面に接触させてなるから、回転整畦体の回転に伴い圧締板体は徐々に盛土を締圧すると共に圧締面部により圧締板体を介して強く締圧され、この複数個の圧締面部の存在により断続的に締圧され、複数個の圧締面部の存在により、回転整畦体の全外周面で締圧する構造に比べて締圧面積が小さくなることにより締圧力を大きくすることができ、それだけ強固に畦を締め付けることができ、走行機体の走行速度に対して回転整畦体の回転速度を高めることにより回転整畦体の圧締板体は畦面に回転滑り接触し、この回転すべり接触により畦の一方側面及び畦の上面を円滑かつ強固に締圧整畦することができ、かつ、圧締板体は可撓弾性を有しているので、圧締板体は平ら状から撓み動作しつつ盛土を徐々に締圧することができ、盛土を確実に締圧することができ、一層堅牢な畦を得ることができ、又、請求項５記載の発明にあっては、上記回転整畦体は畦の一方側面を整畦可能な側面整畦部及び畦の上面を整畦可能な上面整畦部からなり、側面整畦部及び上面整畦部の各外周面部分にそれぞれ可撓弾性をもつ圧締板体を複数個配設し、水塗布部材の遊離下部を各圧締板体の表面に接触させてなるから、側面整畦部及び上面整畦部のそれぞれの可撓弾性をもつ圧締板体の表面を少量の水で整畦に好ましい状態に多湿状態に濡らすことができ、好ましい多湿状態を得ることで、旧畦上の盛土を堅牢に締め付けることができ、かつ、側面整畦部及び上面整畦部の複数個の圧締板体の摩耗損傷を抑制することができ、圧締板体として好ましい可撓弾性を発揮することができ、それだけ、整畦作業能率を向上することができる。
【図面の簡単な説明】
【００１１】
【図１】本発明の実施の形態例の全体側面図である。
【図２】本発明の実施の形態例の平面図である。
【図３】本発明の実施の形態例の側断面図である。
【図４】本発明の実施の形態例の平断面図である。
【図５】本発明の実施の形態例の後面図である。
【図６】本発明の実施の形態例の前面図である。
【図７】本発明の実施の形態例の部分拡大断面図である。
【図８】本発明の実施の形態例の部分拡大断面図である。
【図９】本発明の実施の形態例の後断面図である。
【図１０】本発明の実施の形態例の部分説明後面図である。
【図１１】本発明の実施の形態例の部分拡大断面図である。
【図１２】本発明の実施の形態例の部分拡大横断面図である。
【発明を実施するための形態】
【００１２】
図１乃至図１２は本発明の実施の形態例を示し、１は走行機体であって、この場合トラクタが用いられ、図１の如く、走行機体１の後部に三点リンク式の連結機構２により機枠３を上下動可能に連結している。
【００１３】
４は盛土機構であって、この場合、図１、図９の如く、回転する盛土ロータ５から構成され、この盛土ロータ５はロータ胴５ａの外周に複数個の掻上刃５ｂ・５ｂを突設すると共にロータ胴５ａに取付軸５ｃを突設してなり、上記機枠３に駆動主軸６を回転軸線を畦造成方向と平行にして回転自在に取付け、駆動主軸６に盛土ロータ５の取付軸５ｃを連結し、機枠３に走行機体１に設けられた動力取出軸７により回転する伝達軸８及び中間軸９を軸受し、伝達軸８と中間軸９との間に変向用ギヤ列１０を介装し、盛土ロータ５をチェーン機構１１及び駆動主軸６を介して回転させ、この盛土ロータ５の回転により畦Ｗ際の圃場面Ｍの土を削出軌跡Ｎをもって削出して旧畦に向けて跳ね上げて盛り上げるように構成している。
【００１４】
１２はカバー部材であって、この場合、図６の如く、上記機枠３に取り付けられ、上記盛土ロータ５の上方及び畦Ｗの上方を覆う形状に形成され、カバー部材１２の畦Ｗ側に側部カバー部材１３をヒンジ軸１４により跳ね上げ回動自在に取り付けられている。
【００１５】
１５は整畦機構であって、この場合、図１、図７の如く、畦Ｗ面を外周面部分の圧接回転により回転整畦可能な回転整畦体１６と回転機構１７とからなり、回転整畦体１６は畦Ｗの一方側面Ｗ２を整畦可能な側面整畦部１６ａ及び畦Ｗの上面Ｗ１を整畦可能な上面整畦部１６ｂとを着脱自在に設け、回転整畦体１６の回転軸線Ｐ１を水平方向に配置し、この回転整畦体１６を回転機構１７により回転軸線Ｐ１を中心として図中矢印方向Ｃに強制回転させるように構成している。
【００１６】
この場合、図４、図７の如く、回転整畦体１６としての枠ロータ状の側面整畦部１６ａ及び枠ロータ状の上面整畦部１６ｂの外周面部分にそれぞれ圧締面部Ｇ・Ｇを間隔を置いて複数個、この場合八個形成すると共に回転整畦体１６の回転方向前方位置の圧締面部Ｇ側から隣る後方位置の圧締面部Ｇの外面に至る圧締板体Ｅを配設し、隣る圧締面部Ｇ・Ｇの間に通穴Ｆを形成している。
【００１７】
この場合、図４、図８の如く、上記機枠３に軸受筒部１８を取付け、この軸受筒部１８に駆動軸１９を回転自在に横設し、上記駆動主軸６と駆動軸１９との間に歯車機構２０を介装し、駆動軸１９に回転整畦体１６を取り付け、駆動主軸６の回転により回転整畦体１６を図中矢印方向に回転させ、回転整畦体１６の外周面部分の回転接触により畦Ｗの一方側面Ｗ２を締圧整畦すると共に畦Ｗの上面Ｗ１を締圧整畦するように構成している。
【００１８】
この場合、図７の如く、圧締板体Ｅは可撓弾性を有するナイロン樹脂や塩化ビニール樹脂等の合成樹脂板により製作され、無負荷時には板状に略平らとなり、外的負荷により弧状に撓み得ると共に負荷解除により自己弾性により略平らに復元変形する材質が用いられている。尚、圧締板体Ｅは板バネに用いられるバネ鋼製等の金属板材や他の樹脂板材を用いることもある。
【００１９】
２１は削土機構であって、この場合、図６の如く、駆動主軸６に保持枠２２を同心上に上下揺動自在に枢着し、保持枠２２を吊下鎖２３によりヒンジ軸１４から吊下保持し、保持枠２２の先端部に従動軸２４を回転自在に取付け、保持枠２２の先端部にロータ軸２５を回転自在に取り付け、ロータ軸２５に複数個のナギナタ状の刃体をもつ削土ロータ２６を取付け、駆動主軸６と従動軸２４との間にチェーン機構２７を掛回すると共にロータ軸２５をチェーン機構２７により駆動主軸６と反対向きに回転させ、上記盛土機構４の盛土ロータ５の進行方向前方位置の旧畦の上面部分を削土ロータ２６によって削出軌跡Ｓをもって回転削土するように構成したものである。
【００２０】
２８は貯水タンク、２９は給水部材であって、図２、図３の如く、上記機枠３に貯水タンク２８を載置する載置台３０を配設し、機枠３にパイプ状の支持枠体３１を取り付け、支持枠体３１に給水部材２９を取付金具３２により取り付け、図１１、図１２の如く、給水部材２９は貯水タンク２８内の水Ｑを上記回転整畦体１６に供給する合成樹脂製の管材Ｄからなり、管材Ｄの内穴は上記貯水タンク２８に接続管３３を介して連通する通水路２９ａに形成され、管材Ｄの先端に栓体２９ｃが設けられ、接続管３３の途中に電磁式又は手動式の開閉弁３４を設け、管材Ｄの管壁の上部位置に水Ｑの放出口部２９ｂを形成している。
【００２１】
３５は水塗布部材であって、図１０の如く、上記給水部材２９に垂下配設され、この場合、上記放出口部２９ｂからの水Ｑが伝って流下する繊維材Ｈにより形成され、この繊維材Ｈからなる水塗布部材３５の遊離下部３５ａを上記圧締板体Ｅの表面に接触させて構成している。尚、繊維材Ｈとしては、綿などの天然繊維、ナイロン、アクリル、レーヨン等の化学繊維、並びに混紡糸等が用いられる。
【００２２】
この場合、図１１、図１２の如く、水塗布部材３５は繊維材Ｈを束ねた複数個の繊維束Ｒ・Ｒ・・からなり、上記給水部材２９に複数個の繊維束Ｒ・Ｒ・・を管材Ｄの上面部分で折り返して並列状に配置すると共に合成樹脂製の弾性を有するＣ形状のクリップ３６で繊維束Ｒを介して給水部材２９を挟着することにより位置固定して全体として床面等の払拭に用いられるモップ状に形成され、この繊維材Ｈを束ねた複数個の繊維束Ｒ・Ｒ・・からなる水塗布部材３５の遊離下部３５ａを圧締板体Ｅの表面に接触させて構成している。
【００２３】
この実施の形態例は上記構成であるから、図１の如く、走行機体１を旧畦に沿って走行し、動力取出軸７を回転すると一方では盛土ロータ５が畦Ｗ際の圃場泥土を旧畦上に連続的に跳ね上げて盛り上げ、カバー部材１２及び側部カバー部材１３は盛土ロータ５の上方及び畦Ｗ側方への泥土飛散を防止し、跳ね上げられた泥土は外方飛散を防がれて自重落下し、他方では走行機体１の動力取出軸７を駆動源として整畦機構１５が駆動され、回転整畦体１６は回転機構１７により回転し、回転整畦体１６の外周面部分に可撓弾性をもつ圧締板体Ｅを配設しているので、回転整畦体１６の図中矢印方向としての走行機体１の前進を助長する方向の回転に伴い圧締板体Ｅにより畦Ｗは断続的に締圧され、それだけ強固に畦Ｗを締め付けることができ、走行機体１の走行速度に対して回転整畦体１６の回転速度を高めることにより回転整畦体１６の圧締板体Ｅは畦面に回転滑り接触し、この回転すべり接触により畦Ｗの一方側面Ｗ２及び畦Ｗの上面Ｗ１を円滑かつ強固に締圧整畦することができ、かつ、圧締板体Ｅは可撓弾性を有しているので、圧締板体Ｅは平ら状から撓み動作しつつ盛土を徐々に締圧することができ、盛土を確実に締圧することができ、一層堅牢な畦Ｗを得ることができる。
【００２４】
この際、上記機枠３に貯水タンク２８及び貯水タンク２８内の水Ｑを上記回転整畦体１６に供給する放出口部２９ｂをもつ給水部材２９を設け、給水部材２９に放出口部２９ｂからの水Ｑが伝って流下する繊維材Ｈからなる水塗布部材３５を垂下配設し、水塗布部材３５の遊離下部３５ａを圧締板体Ｅの表面に接触させているから、図８の如く、給水部材２９からの水Ｑは繊維材Ｈからなる水塗布部材３５を伝って流下し、水塗布部材３５を伝って流下してくる水Ｑは水塗布部材３５の遊離下部３５ａと圧締板体Ｅの表面との接触により塗りつけられるように塗布され、従来構造と対比して、回転整畦体１６に散水ノズルを臨ませて水タンク内の水Ｑを回転整畦体１６に直接的にまき散らし散水する構造でないから、水Ｑが多量に外方に飛散して水撒き効率を低下させることがなくなり、少量の水Ｑで回転整畦体１６の表面を好ましい状態に多湿状態に濡らすことができ、好ましい多湿状態が得られることで、旧畦上の盛土を堅牢に締め付けることができ、かつ、回転整畦体１６の外周面部分に可撓弾性をもつ配設された複数個の圧締板体Ｅ・Ｅの摩耗損傷を抑制することができ、圧締板体Ｅとして好ましい可撓弾性を発揮することができ、それだけ、整畦作業能率を向上することができる。
【００２５】
又、この場合、上記水塗布部材３５は繊維材Ｈを束ねた複数個の繊維束Ｒ・Ｒ・・を並べてモップ状に形成されているから、給水部材２９からの水Ｑは良好に伝って流下することになると共に圧締板体Ｅの表面に対する水Ｑの接触塗り付けを良好に行うことができ、圧締板体Ｅの表面を整畦に好ましい多湿状態を得ることができ、又、この場合、上記給水部材２９は管材Ｄからなり、管材Ｄの内穴は上記貯水タンク２８に接続管３３を介して連通する通水路２９ａに形成され、管材Ｄの管壁の上部に上記放出口部２９ｂを形成してなるから、貯水タンク２８内の水Ｑは上方に迂回したのち水塗布部材３５に良好に伝わって流下することもあって、水塗布部材３５に良好に伝わらせることができる。
【００２６】
又、この場合、上記回転整畦体１６の外周面部分に圧締面部Ｇ・Ｇを間隔を置いて複数個形成し、回転整畦体１６の回転方向前方位置の圧締面部Ｇ側から隣る後方位置の圧締面部Ｇの圧締面に至る可撓弾性をもつ圧締板体Ｅを配設し、水塗布部材３５の遊離下部３５ａを圧締板体Ｅの表面に接触させてなるから、図８の如く、回転整畦体１６の図中矢印方向としての走行機体１の前進を助長する方向の回転に伴い圧締板体Ｅは徐々に盛土を締圧すると共に圧締面部Ｇにより圧締板体Ｅを介して強く締圧され、この複数個の圧締面部Ｇ・Ｇの存在により断続的に締圧され、複数個の圧締面部Ｇ・Ｇの存在により、回転整畦体１６の全外周面で締圧する構造に比べて締圧面積が小さくなることにより締圧力を大きくすることができ、それだけ強固に畦Ｗを締め付けることができ、走行機体１の走行速度に対して回転整畦体１６の回転速度を高めることにより回転整畦体１６の圧締板体Ｅは畦面に回転滑り接触し、この回転すべり接触により畦Ｗの一方側面Ｗ２及び畦Ｗの上面Ｗ１を円滑かつ強固に締圧整畦することができ、かつ、圧締板体Ｅは可撓弾性を有しているので、圧締板体Ｅは平ら状から撓み動作しつつ盛土を徐々に締圧することができ、盛土を確実に締圧することができ、一層堅牢な畦Ｗを得ることができ、又、この場合、上記回転整畦体１６は畦Ｗの一方側面Ｗ２を整畦可能な側面整畦部１６ａ及び畦Ｗの上面Ｗ１を整畦可能な上面整畦部１６ｂからなり、側面整畦部１６ａ及び上面整畦部１６ｂの各外周面部分にそれぞれ可撓弾性をもつ圧締板体Ｅ・Ｅを複数個配設し、水塗布部材３５の遊離下部３５ａを各圧締板体Ｅ・Ｅの表面に接触させてなるから、図８の如く、側面整畦部１６ａ及び上面整畦部１６ｂのそれぞれの可撓弾性をもつ圧締板体Ｅ・Ｅの表面を少量の水Ｑで整畦に好ましい状態に多湿状態に濡らすことができ、好ましい多湿状態を得ることで、旧畦上の盛土を堅牢に締め付けることができ、かつ、側面整畦部１６ａ及び上面整畦部１６ｂの複数個の圧締板体Ｅ・Ｅの摩耗損傷を抑制することができ、圧締板体Ｅとして好ましい可撓弾性を発揮することができ、それだけ、整畦作業能率を向上することができる。
【００２７】
この場合、回転整畦体１６は畦Ｗの一方側面Ｗ２を回転整畦可能な側面整畦部１６ａ及び畦Ｗの上面Ｗ１を回転整畦可能な上面整畦部１６ｂからなり、この上面整畦部１６ｂを上記側面整畦部１６ａに対して着脱自在に設けて構成しているから、上面整畦部１６ｂを取り外すことにより高い畦Ｗの側面、道路や堤防の法面を締圧することができ、用途の融通性を高めることができ、又、この場合、削土機構２１により旧畦面を予め削土でき、この削土された畦面上に盛土機構４により盛土することになるから、旧畦土と盛土との結着性を高めることができ、それだけ強固な畦Ｗを得ることができる。
【００２８】
又、この際、上記隣る圧締面部Ｇ・Ｇの間に通穴Ｆを形成しているので、通穴Ｆにより一層断続的に畦面を締圧することになり、それだけ強固に締圧することができると共に通穴Ｆの存在により回転整畦体１６の外周面部分への土の付着現象を抑制することができ、良好な整畦作業を行うことができる。
【００２９】
尚、本発明は上記実施の形態例に限られるものではなく、例えば盛土機構４として、畦造成方向に対して交差する方向の回転軸線をもつ回転ロータを採用することもでき、又、上記実施の形態例における回転整畦体１６を油圧式や偏心ウエイト方式の振動機構により振動させたり、又、クランク方式や油圧方式からなる畦叩き機構により畦叩き運動させる付加構造を採用することもあり、その他、圧締面部Ｇ及び通穴Ｆの個数や形状、圧締板体Ｅの大きさや材質等は適宜変更して設計される。
【００３０】
又、上記実施の形態例においては、上記回転整畦体１６の回転軸線Ｐ１は水平方向となって、側面整畦部１６ａは略円錐状、上面整畦部１６ｂを略円筒状に形成されているが、上記回転整畦体１６の回転軸線Ｐ１を畦Ｗの一方側面Ｗ２の側方から畦Ｗ側へ斜め上方に向かう所定角度の上向き方向に配置し、側面整畦部１６ａ及び上面整畦部１６ｂをいずれも略円錐状に形成し、回転機構１７により回転軸線Ｐ１を中心として図中矢印方向に強制回転させるように構成することもできる。
【００３１】
以上の如く、所期の目的を充分達成することができる。
【符号の説明】
【００３２】
Ｗ    畦
Ｗ１    上面
Ｗ２    一方側面
Ｇ    圧締面部
Ｅ    圧締板体
Ｑ    水
Ｄ    管材
Ｈ    繊維材
Ｒ    繊維束
１    走行機体
２    連結機構
３    機枠
４    盛土機構
１５    整畦機構
１６    回転整畦体
１６ａ    側面整畦部
１６ｂ    上面整畦部
２８    貯水タンク
２９    給水部材
２９ａ    通水路
２９ｂ    放出口部
３３    接続管
３５    水塗布部材
３５ａ    遊離下部
【図１】
0005594478.tif 000002
【図２】
0005594478.tif 000003
【図３】
0005594478.tif 000004
【図４】
0005594478.tif 000005
【図５】
0005594478.tif 000006
【図６】
0005594478.tif 000007
【図７】
0005594478.tif 000008
【図８】
0005594478.tif 000009
【図９】
0005594478.tif 000010
【図１０】
0005594478.tif 000011
【図１１】
0005594478.tif 000012
【図１２】
0005594478.tif 000013